(57)【要約】【課題】  薄型ディスプレイ装置において、薄型化・コストダウンおよび筐体内のスペースの有効利用に貢献すると同時に、高音質の再生を可能にするスピーカ装置および、薄型ディスプレイ装置を得ようとするものである。【解決手段】  バスレフ型スピーカ装置において、バスレフポートの一部を表示ユニットのドライバ基板で構成する。また、他の形態として、バスレフポートの一部をスタンド支柱支持部品で構成し、スタンド使用時はここにスタンド支柱が入り、スタンド使用時でもバスレフポートとして機能する。  そうすることで、ドライバ基板の干渉がなくなり、薄型化に貢献できる。一方でフレキシブルプリント配線板の短小化、取付金具の削除によりコストダウンが図れる。また、スタンド支柱支持部品をバスレフポートに利用することで、筐体内のスペースの有効利用ができ、スタンド使用時でも音質の向上が図れる。【選択図】  図１
2007329829.tif 000002
【特許請求の範囲】
【請求項１】
スピーカ装置を有する薄型ディスプレイ装置において、前記スピーカ装置はスピーカユニットの背面から出る音を外部に放射するバスレフポートを備え、前記バスレフポートの一部がドライバ基板にて構成されることを特徴とする薄型ディスプレイ装置。
【請求項２】
前記バスレフポートの途中にはスピーカボックス側に穴が空いており、これがスピーカボックス内とバスレフポートを繋ぐダクトであることを特徴とする請求項１に記載の薄型ディスプレイ装置。
【請求項３】
前記スピーカボックスは縦長および横長であり、側面のある一面にリブが形成されていることを特徴とする請求項１に記載の薄型ディスプレイ装置。
【請求項４】
前記ドライバ基板は前記リブへ固定され、その隙間にはシール性の部材で密着されていることを特徴とする請求項１に記載の薄型ディスプレイ装置。
【請求項５】
スピーカ装置を有する薄型ディスプレイ装置において、前記スピーカ装置はスピーカユニットの背面から出る音を外部に放射するバスレフポートを備え、前記バスレフポートの一部がスタンド支柱支持部品にて構成されることを特徴とする薄型ディスプレイ装置。
【請求項６】
前記バスレフポートはスピーカボックスに対して貫通されていることを特徴とする請求項５に記載の薄型ディスプレイ装置。
【請求項７】
前記スピーカボックスは表示ユニット背面へ回り込む形状をしており、また表示ユニットを支持する機能を持つことを特徴とする請求項５に記載の薄型ディスプレイ装置。
【請求項８】
前記スタンド支柱支持部品の途中には穴が空いており、これがスピーカボックス内とバスレフポートを繋ぐダクトであることを特徴とする請求項５に記載の薄型ディスプレイ装置。
【請求項９】
前記スタンド支柱支持部品に挿入されるスタンド支柱は、前記ダクトの高さより長い場合は、ほぼ同じ位置にダクトを持っていることを特徴とする請求項５に記載の薄型ディスプレイ装置。
【請求項１０】
スピーカユニットは表示ユニットの裏にあることを特徴とする請求項５に記載の薄型ディスプレイ装置。
【請求項１１】
スピーカ装置を表示ユニットの左右または上下に配置したことを特徴とする請求項１または請求項５に記載の薄型ディスプレイ装置。
【発明の詳細な説明】
【技術分野】
【０００１】
本発明はディスプレイなどの映像機器に内蔵されるスピーカ装置およびこれを用いた薄型ディスプレイ装置に関する。
【背景技術】
【０００２】
近年、映像を大画面で表示させる為に、プラズマディスプレイパネルや液晶ディスプレイパネル等（以下、薄型ディスプレイ装置と称する）が実用化され需要が高まっている。この薄型ディスプレイ装置はその形状から省スペース化が望まれる一方、高音質のスピーカを組み込むという相反する問題に直面している。そのような背景において、薄型ディスプレイ装置では高音質を要求すべく、バスレフ型スピーカを内蔵するものが多い。さらに、省スペース化を望むべく、バスレフポートの一部を別部品により構成する技術（特許文献１参照）もある。また、薄型ディスプレイ装置はスタンドを使用するが、従来技術としてスピーカスタンド支柱をバスレフポートとして利用する技術もある（例えば特許文献２、特許文献３、特許文献４参照）。
【０００３】
図１２は従来の薄型ディスプレイ装置およびスピーカを配した後方斜視図である。薄型ディスプレイ装置はその構成上、表示ユニット８の左右方向と上下方向にドライバ基板２を持っており、それぞれのドライバ基板２は表示ユニット裏で折り返され、フレキシブルプリント配線板５で接続されている。
【０００４】
また、図１３は特許文献１記載のスピーカ装置である。スピーカボックス１裏のバスレフポートの一部は蓋体９として別部品を構成している。その蓋体は金属板部材で形成されている。
【０００５】
図１４は特許文献２記載のスピーカ装置である。スピーカ３を内蔵したスピーカボックス１の下端に所定高さを保持するためのスタンドを持っており、このスタンドがバスレフポートとしての機能を持っている。なお、このバスレフポートの開口部は基台内に設けてある。特許文献２から４のいずれも、スタンドをバスレフポートとして利用しており、いずれも開口部は基台側に設けてある。
【特許文献１】特開平１０−１１７３１１号公報（第４頁、図１）
【特許文献２】特開２０００−１６５９７３号公報（第４頁、図１）
【特許文献３】特開２００５−０１２７０５号公報（第３頁、図１）
【特許文献４】特開２００５−０２７１１７号公報（第９頁、図１）
【発明の開示】
【発明が解決しようとする課題】
【０００６】
従来の薄型ディスプレイ装置の構造では図１２に示す通り、ドライバ基板２を表示ユニット８裏で折り返す際に、左右と上下のドライバ基板２が四隅で干渉し、ディスプレイパネル自体の厚みが増してしまう。また、それぞれのドライバ基板２を固定する為に、取付金具等の部品が必要であり部品点数が増えてしまう。また、フレキシブルプリント配線板５はドライバ基板２を折り返すために、長くなりコストアップとなる。
【０００７】
特許文献１に示すスピーカ装置では省スペース化の為にバスレフポートの一部を金属部材の蓋体９にて構成しているが、構造上問題が無ければ金属部材以外を使用してもバスレフポートとして成り立つ。
【０００８】
特許文献２に示すスピーカ装置ではスピーカスタンド支柱をバスレフポートとして利用しているが、荷重が集中する基台側に開口部が設けてあり、強度不足が考えられる。また、スタンドを使用しないとバスレフポートとして機能しない。特許文献３および４も同様である。
【０００９】
本発明は上述した点を解決し、薄型ディスプレイ装置の薄型化・コストダウンおよび筐体内のスペースの有効利用に貢献すると同時に、薄型ディスプレイ装置にふさわしい高音質の再生が可能なスピーカ装置および薄型ディスプレイ装置を得ようとするものである。
【課題を解決するための手段】
【００１０】
上記課題を解決するために、本発明は、バスレフポートを持つスピーカ装置において、バスレフポートの一部を表示ユニットのドライバ基板で構成するようにしたものである。そのバスレフポートはスピーカボックスの一部であるリブとドライバ基板で構成されている。ドライバ基板はそのリブへビス等で固定されており、ドライバ基板とリブの隙間はガスケットのようなシール性のある部材などで密着されている。
【００１１】
一方の本発明は、バスレフポートの一部としてスタンド支柱支持部品で構成されるようにしたものである。このスタンド支柱支持部品はスピーカボックスを上下貫通し、途中にダクトが設けてある。このスタンド支柱支持部品に、途中にダクトを設けてあるスタンド支柱を挿入することで開口部が上方にあるバスレフ型スピーカ装置になる。このようにスタンド使用時は勿論のこと、薄型ディスプレイ装置を壁掛けで使用するなど、スタンドを使用しない場合でもバスレフ型スピーカ装置として機能することが可能である。
【００１２】
また、これらのスピーカ装置をディスプレイ装置に用いることを特徴とする。
【発明の効果】
【００１３】
本発明のスピーカ装置およびこれを用いた薄型ディスプレイ装置は、スピーカ構造の一部であるバスレフポートを、別部品で構成するため、薄型ディスプレイ装置筐体内のスペースを有効利用でき、薄型化・コストダウンに貢献することができる。さらに、バスレフポートとして機能するため、音質の向上が可能となる。
【発明を実施するための最良の形態】
【００１４】
次に、本発明の詳細を実施例の記述に従って説明する。
【実施例１】
【００１５】
図１から図３は本発明を適用できる第１実施形態を説明する図である。図１は本発明を適用できるスピーカ装置の斜視図であり、図２は図１においてドライバ基板２を正常位置に組み立てた時のＡ−Ａ断面図である。図３は本発明のスピーカ装置を表示ユニット横に配置した場合の後方斜視図である。
【００１６】
本発明の第１実施形態を図１および図２を用いて説明する。このスピーカ装置はバスレフ型スピーカの一種であり、スピーカボックス本体１０はスピーカボックス１とスピーカユニット３からなり、リブ１ａとダクト１ｂはスピーカボックス１の一部である。このリブ１ａにドライバ基板２がビス等により固定されるが、その間にガスケット４などのシール性のある部材で隙間を埋めている。
【００１７】
スピーカユニット３の背面から出る音は位相反転され、その音はダクト１ｂを通りリブ１ａおよびドライバ基板２より構成それているバスレフポートを通り放出される。このとき、リブ１ａとドライバ基板２の間に隙間があると、バスレフの効果がなくなってしまうので、ガスケット４のようなシール性のある部材で隙間を埋めている。
【００１８】
次に、図３を用いて前記スピーカ装置を薄型ティスプレイ装置に適用した場合の説明をする。表示ユニット左端に接続されているドライバ基板２をスピーカ側へ展開し、スピーカボックス１へ取り付ける。このように、ドライバ基板を表示ユニット背面へ折り返さずに済み、表示ユニット上部のドライバ基板との干渉が避けられ、ディスプレイパネル自体の厚みも薄く出来る。また、ドライバ基板固定用の取付金具も必要なく、フレキシブルプリント配線板も短く出来ることから、コストダウンすることが可能である。
【実施例２】
【００１９】
図４から図６は本発明を適用できる第２実施形態を説明する図である。図４は本発明を適用できるスピーカ装置の斜視図であり、図５は図４におけるＢ−Ｂ断面図である。図６は本発明の第２実施形態のスピーカ装置をディスプレイパネル横に配置した場合の斜視図である。
【００２０】
以下に本発明の第２実施形態を図４および図５を用いて説明する。このスピーカ装置はバスレフ型スピーカの一種であり、スピーカボックス本体１０はスピーカボックス１とスピーカユニット３、およびスタンド支柱支持部品６からなる。ダクト６ａはスタンド支柱支持部品６の途中に設けてあり、開口部６ｂはスタンド支柱支持部品６の両端にある。一方、スタンド７のスタンド支柱７ｂはその途中にダクト７ａを設けてある。
【００２１】
スピーカユニット３の背面から出る音は位相反転され、その音はダクト６ａを通りスタンド支柱支持部品６を通り開口部６ｂより放出される。スタンド７を使用した場合、スタンド支柱７ｂは、スタンド支柱支持部品６に挿入され、そのダクト６ａとスタンドのダクト７ａは、ほぼ同じ位置に来ることから、音はこれらのダクトを通りバスレフポートを経由して放出される。従って、スタンド使用時でもバスレフポートとして機能する。
【００２２】
そして、図６を用いて前記スピーカ装置を薄型ディスプレイ装置に適用した場合の説明をする。高音質を求めるべくスピーカボックス１はディスプレイパネル３０背面部へと容積を拡大している。この時、スピーカユニット３をディスプレイパネル３０背面側へ配置することで、薄型ディスプレイ装置の横幅を小型化することができる。また、スピーカボックス１内にスタンド支柱支持部品６が挿入されていることから、スピーカ装置自体に表示ユニットを支持する機能を持っている。更に、スタンド使用時において、スタンド支柱７ｂはスピーカボックス１内に設置されているスタンド支柱支持部品６に挿入され固定されている。
【００２３】
以上のようにスタンド支柱をバスレフポートの一部にすることができるので薄型ディスプレイ装置筐体内のスペースを有効利用でき、さらにバスレフポートの効果により高音質が望める。
【実施例３】
【００２４】
次に、図７に本発明の第１実施形態の応用例を示す。図７はスピーカボックス１が表示ユニット下に配置されている時の説明図である。そしてドライバ基板２は表示ユニット下方へ展開されスピーカボックス１の背面に固定され、バスレフポートは左右にそれぞれ伸びている。このようにスピーカ装置は表示ユニットの左右のみならず上下にも配置できる。
【実施例４】
【００２５】
図８は本発明の第１実施形態の他の応用例を示す。ドライバ基板２はスピーカボックス１背面にあるリブ１ａへ固定されている。このように表示ユニットのサイズやスピーカ装置の位置によって、ドライバ基板の固定位置が変わってくるので、スピーカボックス側面であれば固定位置の制限は無い。
【実施例５】
【００２６】
図９は本発明の第２実施形態の応用例を示す。スタンド支柱支持部品６にはダクト６ａが複数設けられている。また、スタンド７の支柱７ｂにもダクト７ａが複数設けられている。これらのダクトはパンチングメッシュのような穴で良い。この様にすると、ダクトから開口部６ｂまでの距離が制御しやすくなり、スタンドの高さを変えたとしても、ダクトの共振周波数が変わることを抑えることができる。さらに、ダクト６ａまたはダクト７ａのどちらかがパンチングであっても良い。ダクトの形状については特に限定されない。
【実施例６】
【００２７】
図１０に示す通り、スタンド支柱７がスタンド支柱支持部品６のダクト６ａよりも短い場合は、スタンド支柱に音が通る必要が無いので、スタンド支柱７は中実であっても良い。
【実施例７】
【００２８】
実施例７は本発明の第２実施形態の他の応用例を示す。従来、薄型ディスプレイ装置の形態はスピーカボックスがディスプレイ側と分離されているものと、外装カバーによりスピーカ装置が筐体内に内蔵されているものがある。図１１はディスプレイパネル３０とスピーカボックス１が筐体内に内蔵されている状態を示している。スピーカボックス１とディスプレイパネル３０は外装カバー２０で覆われている。このようにスピーカボックスは薄型ディスプレイ装置筐体内であっても良いし、独立していても良い。
【産業上の利用可能性】
【００２９】
本発明の利用例として、液晶画像パネル、プラズマ画像表示パネル、ＥＬ画像表示パネルなどの表示素子として構成する薄型ディスプレイ装置および薄型テレビ装置に適用することが可能である。
【図面の簡単な説明】
【００３０】
【図１】本発明のスピーカ装置の第１実施形態を示す斜視図である。
【図２】本発明のスピーカ装置の第１実施形態を示す要部断面図である。
【図３】本発明のスピーカ装置の第１実施形態を薄型ディスプレイ装置に適用した時の説明図である。
【図４】本発明のスピーカ装置の第２実施形態を示す斜視図である。
【図５】本発明のスピーカ装置の第２実施形態を示す要部断面図である。
【図６】本発明のスピーカ装置の第２実施形態を薄型ディスプレイ装置に適用した時の説明図である。
【図７】本発明のスピーカ装置の第１実施形態の第１応用例を薄型ディスプレイ装置に適用した時の説明図である。
【図８】本発明のスピーカ装置の第１実施形態の第２応用例を示す要部断面図である。
【図９】本発明のスピーカ装置の第２実施形態の第１応用例を示す斜視図である。
【図１０】本発明のスピーカ装置の第２実施形態の第２応用例を示す斜視図である。
【図１１】本発明のスピーカ装置の第２実施形態の第３応用例を示す要部断面図である。
【図１２】従来の薄型ディスプレイ装置を説明する説明図である。
【図１３】本発明のスピーカ装置の第１実施形態に対する従来のスピーカ装置を説明する説明図である。
【図１４】本発明のスピーカ装置の第２実施形態に対する従来のスピーカ装置を説明する説明図である。
【符号の説明】
【００３１】
1  スピーカボックス
2  基板
3  スピーカユニット
4  ガスケット
5  フレキシブルプリント配線板
6  スタンド支柱支持部品
7  スタンド
8  表示ユニット
9  蓋体
10  スピーカ装置本体
20  外装カバー
30  ディスプレイパネル
【図１】
2007329829.tif 000003
【図２】
2007329829.tif 000004
【図３】
2007329829.tif 000005
【図４】
2007329829.tif 000006
【図５】
2007329829.tif 000007
【図６】
2007329829.tif 000008
【図７】
2007329829.tif 000009
【図８】
2007329829.tif 000010
【図９】
2007329829.tif 000011
【図１０】
2007329829.tif 000012
【図１１】
2007329829.tif 000013
【図１２】
2007329829.tif 000014
【図１３】
2007329829.tif 000015
【図１４】
2007329829.tif 000016